(57)【要約】【課題】受信性能を改善したデジタルマルチメディア放送受信装置及びそのチャンネル推定方法を提供する。【解決手段】マルチメディア放送のパイロットチャンネル信号内のパイロットシンボルがある区間ではパイロットシンボルをチャンネル推定用シーケンスとして使用してチャンネルを推定し、ない区間ではチャンネル信号内の各CDMチャンネル制御データに含まれたバージョン情報を読み出し、読み出された情報を以前パイロットチャンネル信号内の各CDMチャンネル制御データに含まれた情報と比較して、バージョンが同じ場合、CDMチャンネル制御データをチャンネル推定用シーケンスとして使用する。追加のチャンネル推定用シーケンスなしに、既存のデータを利用してチャンネル推定用シーケンスを提供し、正確なチャンネル推定を可能にする。これは、チャンネルによって歪んだデータの位相と振幅を補償してデータエラーを減らす。【選択図】図３
2007166585.tif 000002
【特許請求の範囲】
【請求項１】
タップ（Ｔａｐ）係数よってマルチメディア放送（ＤＭＢ）の各ＣＤＭチャンネル信号の歪み特性を補償する等化（Ｅｑｕａｌｉｚｉｎｇ）部と；
マルチメディア放送（ＤＭＢ）のパイロット（Ｐｉｌｏｔ）チャンネル信号内の各ＣＤＭチャンネル制御データ（ＣＤＭ  Ｃｈａｎｎｅｌ  Ｃｏｎｔｒｏｌ  Ｄａｔａ）に含まれたバージョン（Ｖｅｒｓｉｏｎ）情報を以前パイロットチャンネル信号内の各ＣＤＭチャンネル制御データに含まれたバージョン情報と比較して、バージョンが同じなＣＤＭチャンネルの場合、パイロットシンボル（ＰＳ：Ｐｉｌｏｔ  Ｓｙｍｂｏｌ）がない区間ではＣＤＭチャンネル制御データ（ＣＤＭ  Ｃｈａｎｎｅｌ  Ｃｏｎｔｒｏｌ  Ｄａｔａ）をチャンネル推定用シーケンスとして使用してチャンネルを推定し、チャンネル推定結果によって前記等化部のタップ係数をアップデートさせるチャンネル推定部と；
を含んでなることを特徴とする、受信性能を改善したデジタルマルチメディア放送受信装置。
【請求項２】
前記チャンネル推定部が、パイロットシンボル（ＰＳ：Ｐｉｌｏｔ  Ｓｙｍｂｏｌ）がある区間ではパイロットシンボル（ＰＳ：Ｐｉｌｏｔ  Ｓｙｍｂｏｌ）をチャンネル推定用シーケンスとして使用してチャンネルを推定することを特徴とする、請求項１に記載の受信性能を改善したデジタルマルチメディア放送受信装置。
【請求項３】
前記チャンネル推定部が、マルチメディア放送（ＤＭＢ）のパイロット（Ｐｉｌｏｔ）チャンネル信号内の各ＣＤＭチャンネル制御データ（ＣＤＭ  Ｃｈａｎｎｅｌ  Ｃｏｎｔｒｏｌ  Ｄａｔａ）に含まれたバージョン（Ｖｅｒｓｉｏｎ）情報を以前パイロットチャンネル信号内の各ＣＤＭチャンネル制御データに含まれたバージョン情報と比較して、バージョンが違うＣＤＭチャンネルの場合、パイロットシンボル（ＰＳ：Ｐｉｌｏｔ  Ｓｙｍｂｏｌ）をチャンネル推定用シーケンスとして使用してチャンネルを推定することを特徴とする、請求項２に記載の受信性能を改善したデジタルマルチメディア放送受信装置。
【請求項４】
前記チャンネル推定部が、受信されたパイロットチャンネル信号のＣＲＣ（Ｃｙｃｌｉｃ  Ｒｅｄｕｎｄａｎｃｙ  Ｃｈｅｃｋｉｎｇ）エラーをチェックして、異常がない場合、マルチメディア放送（ＤＭＢ）のパイロット（Ｐｉｌｏｔ）チャンネル信号内の各ＣＤＭチャンネル制御データ（ＣＤＭ  Ｃｈａｎｎｅｌ  Ｃｏｎｔｒｏｌ  Ｄａｔａ）に含まれたバージョン（Ｖｅｒｓｉｏｎ）情報を以前パイロットチャンネル信号内の各ＣＤＭチャンネル制御データに含まれたバージョン情報と比較することを特徴とする、請求項１ないし３のいずれか一項に記載の受信性能を改善したデジタルマルチメディア放送受信装置。
【請求項５】
マルチメディア放送（ＤＭＢ）のパイロット（Ｐｉｌｏｔ）チャンネル信号内の各ＣＤＭチャンネル制御データ（ＣＤＭ  Ｃｈａｎｎｅｌ  Ｃｏｎｔｒｏｌ  Ｄａｔａ）に含まれたバージョン（Ｖｅｒｓｉｏｎ）情報を読み出すバージョン情報読出し段階と；
前記バージョン情報読出し段階によって読み出された各ＣＤＭチャンネル制御データ（ＣＤＭ  Ｃｈａｎｎｅｌ  Ｃｏｎｔｒｏｌ  Ｄａｔａ）に含まれたバージョン（Ｖｅｒｓｉｏｎ）情報を以前パイロットチャンネル信号内の各ＣＤＭチャンネル制御データに含まれたバージョン情報と比較するバージョン情報比較段階と；
前記バージョン情報比較段階での比較結果、バージョンが同じなＣＤＭチャンネルの場合、パイロットシンボル（ＰＳ：Ｐｉｌｏｔ  Ｓｙｍｂｏｌ）がない区間ではＣＤＭチャンネル制御データ（ＣＤＭ  Ｃｈａｎｎｅｌ  Ｃｏｎｔｒｏｌ  Ｄａｔａ）をチャンネル推定用シーケンスとして使用してチャンネルを推定するチャンネル推定段階と；
前記チャンネル推定段階でのチャンネル推定結果によって前記等化部のタップ係数をアップデートさせるタップ係数アップデート段階と；
を含むことを特徴とする、デジタルマルチメディア放送受信装置のチャンネル推定方法。
【請求項６】
前記チャンネル推定段階において、
パイロットシンボル（ＰＳ：Ｐｉｌｏｔ  Ｓｙｍｂｏｌ）がある区間では、パイロットシンボル（ＰＳ：Ｐｉｌｏｔ  Ｓｙｍｂｏｌ）をチャンネル推定用シーケンスとして使用してチャンネルを推定することを特徴とする、請求項５に記載のデジタルマルチメディア放送受信装置のチャンネル推定方法。
【請求項７】
前記チャンネル推定段階において、
前記バージョン情報比較段階での比較結果、バージョンが違いＣＤＭチャンネルの場合、パイロットシンボル（ＰＳ：Ｐｉｌｏｔ  Ｓｙｍｂｏｌ）をチャンネル推定用シーケンスとして使用してチャンネルを推定することを特徴とする、請求項６に記載のデジタルマルチメディア放送受信装置のチャンネル推定方法。
【請求項８】
前記デジタルマルチメディア放送受信装置のチャンネル推定方法が、
パイロットチャンネル信号のＣＲＣ（Ｃｙｃｌｉｃ  Ｒｅｄｕｎｄａｎｃｙ  Ｃｈｅｃｋｉｎｇ）エラーをチェックして、異常がない場合、前記バージョン情報読出し段階を実行するようにする信号するエラー検査段階をさらに含むことを特徴とする、請求項５ないし７のいずれか一項に記載のデジタルマルチメディア放送受信装置のチャンネル推定方法。
【発明の詳細な説明】
【技術分野】
【０００１】
本発明は受信性能を改善したデジタルマルチメディア放送受信装置及びそのチャンネル推定方法に係り、特にデジタルマルチメディア放送（ＤＭＢ）のチャンネルを推定してデジタルマルチメディア放送（ＤＭＢ）信号の歪みを補償する技術に関するものである。
【背景技術】
【０００２】
インターネット（Ｉｎｔｅｒｎｅｔ）とメディア（Ｍｅｄｉａ）が発展するにしたがい、情報の形態が既存のテキストのような文書から、音声、イメージ、動画などのマルチメディア形態に進化された。
【０００３】
デジタルマルチメディア放送（ＤＭＢ）はこのようなマルチメディア形態の情報を提供する技術である。デジタルマルチメディア放送（ＤＭＢ）の品質に最大の影響を与える要因が多重経路によるフェーディング（Ｆａｄｉｎｇ）現象であり、多重経路によるフェーディングは互いに違った経路を通じてＤＭＢ受信装置に到着したＤＭＢ信号の位相差（時間遅延差）によって発生するので、ＤＭＢ受信装置においては、フェーディングチャンネルによるデータの位相（Ｐｈａｓｅ）と振幅（Ａｍｐｌｉｔｕｄｅ）の歪みを補償するチャンネル推定（Ｃｈａｎｎｅｌ  Ｅｓｔｉｍａｔｉｏｎ）が必須である。
【０００４】
図１はデジタルマルチメディア放送（ＤＭＢ）のパイロットチャンネル信号のフレーム構造を示す図である。
【０００５】
同図に示すように、デジタルマルチメディア放送（ＤＭＢ）のパイロットチャンネル信号は、同期信号である多数のパイロットシンボル（Ｐｉｌｏｔ  Ｓｙｍｂｏｌ）ＰＳと、フレーム同期信号である唯一単語（Ｕｎｉｑｕｅ  Ｗｏｒｄ）Ｄ１と、スーパーフレーム同期信号であるフレームカウンター（Ｆｒａｍｅ  Ｃｏｕｎｔｅｒ）Ｄ２と、ＣＤＭチャンネル制御データＤ３〜Ｄ２２、Ｄ２７〜Ｄ４６と、前進型誤信号訂正（ＦＥＣ：Ｆｏｒｗａｒｄ  Ｅｒｒｏｒ  Ｃｏｒｒｅｃｔｉｏｎ）符号Ｄ２３〜Ｄ２６、Ｄ４７〜Ｄ５０と、拡張情報Ｄ５１とからなるフレーム構造を持つ。
【０００６】
図２は従来のデジタルマルチメディア放送受信装置のチャンネル推定概要図である。
【０００７】
従来の場合、図２に示すように、パイロットチャンネル信号のパイロットシンボル（Ｐｉｌｏｔ  Ｓｙｍｂｏｌ）のみを利用してチャンネルを推定した。すなわち、パイロットチャンネル信号のパイロットシンボルＰＳは３２ビットの同期信号で決まっている値であるので、これをチャンネル推定のリファレンス（Ｒｅｆｅｒｅｎｃｅ）として用いてパイロットチャンネル信号のパイロットシンボルＰＳの位置と対応する各ＣＤＭチャンネル領域の歪みを補償するチャンネル推定（Ｃｈａｎｎｅｌ  Ｅｓｔｉｍａｔｉｏｎ）を行った。
【０００８】
しかし、このような従来の方法は、ＣＤＭチャンネル制御データＤ３〜Ｄ２２、Ｄ２７〜Ｄ４６などのように、パイロットシンボル（Ｐｉｌｏｔ  Ｓｙｍｂｏｌ）がない区間に対応する各ＣＤＭチャンネル領域では基準になり得るリファレンス（Ｒｅｆｅｒｅｎｃｅ）信号がないから、パイロットシンボル（Ｐｉｌｏｔ  Ｓｙｍｂｏｌ）がない区間の各ＣＤＭチャンネル歪みを補償しにくく、多重経路チャンネルではより多くのチャンネル推定用シーケンスでチャンネルを推定しなければ正確なチャンネルを推定することができない問題点があった。
【０００９】
したがって、本発明者は、ＤＭＢ受信装置において、フェーディングチャンネルによるデータの位相（Ｐｈａｓｅ）と振幅（Ａｍｐｌｉｔｕｄｅ）の歪みを、送信データの追加なしに、既存のデータストリームをそのまま使いながらも、既存より連続した多くのチャンネル推定用リファレンスシーケンスを持つようにする方法によって補償することで、チャンネル推定（Ｃｈａｎｎｅｌ  Ｅｓｔｉｍａｔｉｏｎ）を行うことにより、ＤＭＢ受信装置の性能を改善することができる技術に対する研究をすることになった。
【発明の開示】
【発明が解決しようとする課題】
【００１０】
本発明は前記のような趣旨に鑑みてなされたもので、フェーディングチャンネルによるデータの位相（Ｐｈａｓｅ）と振幅（Ａｍｐｌｉｔｕｄｅ）の歪みをより多くのチャンネル推定用シーケンスで連続的に補償して、より正確なチャンネル推定（Ｃｈａｎｎｅｌ  Ｅｓｔｉｍａｔｉｏｎ）を行うことにより、受信性能を改善したデジタルマルチメディア放送受信装置及びそのチャンネル推定方法を提供することをその目的とする。
【課題を解決するための手段】
【００１１】
前記目的を達成するため、本発明の一様態によれば、マルチメディア放送（ＤＭＢ）のパイロット（Ｐｉｌｏｔ）チャンネル信号内の各ＣＤＭチャンネル制御データ（ＣＤＭ  Ｃｈａｎｎｅｌ  Ｃｏｎｔｒｏｌ  Ｄａｔａ）に含まれたバージョン（Ｖｅｒｓｉｏｎ）情報を読み出し、読み出されたバージョン（Ｖｅｒｓｉｏｎ）情報を以前パイロットチャンネル信号内の各ＣＤＭチャンネル制御データに含まれたバージョン情報と比較し、バージョンが同じなＣＤＭチャンネルの場合、パイロットシンボル（ＰＳ：Ｐｉｌｏｔ  Ｓｙｍｂｏｌ）がない区間ではＣＤＭチャンネル制御データ（ＣＤＭ  Ｃｈａｎｎｅｌ  Ｃｏｎｔｒｏｌ  Ｄａｔａ）をチャンネル推定用シーケンスとして使用し、パイロットシンボル（ＰＳ：Ｐｉｌｏｔ  Ｓｙｍｂｏｌ）がある区間ではパイロットシンボル（ＰＳ：Ｐｉｌｏｔ  Ｓｙｍｂｏｌ）をチャンネル推定用シーケンスとして使用してチャンネルを推定するように具現する。
【発明の効果】
【００１２】
以上説明したように、本発明による受信性能を改善したデジタルマルチメディア放送受信装置及びそのチャンネル推定方法は、既存のパイロットシンボルより多くの連続したチャンネル推定用シーケンスを提供して正確なチャンネル推定（ＣｈａｎｎｅｌＥｓｔｉｍａｔｉｉｏｎ）を行うことで、フェーディングチャンネルによるデータの位相（Ｐｈａｓｅ）と振幅（Ａｍｐｌｉｔｕｄｅ）の歪みを補償することにより、受信性能を改善することができる有用な効果を持つ。
【発明を実施するための最良の形態】
【００１３】
以下、添付図面に示す好適な実施例に基づいて、本発明を当業者が容易に理解して再現することができるように詳細に説明する。
【００１４】
図３は本発明による受信性能を改善したデジタルマルチメディア放送受信装置の構成を示すブロック図である。
【００１５】
図３に示すように、本発明による受信性能を改善したデジタルマルチメディア放送受信装置１００は、チューナー（Ｔｕｎｎｅｒ）１１０と、ＣＤＭ復調器（Ｄｅｍｏｄｕｌａｔｏｒ）１２０と、チャンネル復号器（Ｃｈａｎｎｅｌ  Ｄｅｃｏｄｅｒ）１３０と、映像復号器（Ｐｉｃｔｕｒｅ  Ｄｅｃｏｄｅｒ）１４０とを含んでなる。
【００１６】
チューナー１１０は、アンテナを通じて受信したＤＭＢ（Ｄｉｇｉｔａｌ  Ｍｕｌｔｉｍｅｄｉａ  Ｂｒｏａｄｃａｓｔｉｎｇ）周波数帯域の信号を基底帯域（Ｂａｓｅｂａｎｄ）信号に変換する。
【００１７】
前記ＣＤＭ復調器１２０は、前記チューナー１１０によって基底帯域信号に変換された拡散変造（Ｍｏｄｕｌａｔｉｏｎ）されたデータを復調（Ｄｅｍｏｄｕｌａｔｉｏｎ）し、順方向リンクでチャンネルを区分する識別字機能を担当するウォルシュコード（Ｗａｌｓｈ  Ｃｏｄｅ）を参照して、選択された放送チャンネルに対するＣＤＭチャンネル信号及びパイロット（Ｐｉｌｏｔ）チャンネル信号を抽出する。
【００１８】
前記チャンネル復号器１３０は、前記ＣＤＭ復調器１２０によって抽出された放送チャンネル及びパイロットチャンネル信号に対する前進型誤信号訂正（ＦＥＣ：Ｆｏｒｗａｒｄ  Ｅｒｒｏｒ  Ｃｏｒｒｅｃｔｉｏｎ）を実行する。
【００１９】
前記映像復号器１４０は、前記チャンネル復号器１３０によって前進型誤信号訂正された放送チャンネル信号に対する映像復号化を実行する。
【００２０】
すなわち、ＤＭＢ放送送信側で放送データを前進型誤信号訂正符号化し、拡散変造（Ｍｏｄｕｌａｔｉｏｎ）して伝送すれば、ＤＭＢ受信装置１００は、アンテナを通じて受信したＤＭＢ周波数帯域の信号を前記チューナー１１０を通じて基底帯域（Ｂａｓｅｂａｎｄ）信号に変換し、これを前記ＣＤＭ復調器１２０によって復調（Ｄｅｍｏｄｕｌａｔｉｏｎ）し、順方向リンクでチャンネルを区分する識別字機能を担当するウォルシュコード（Ｗａｌｓｈ  Ｃｏｄｅ）を利用して、選択された放送チャンネルに対するチャンネル信号及びパイロットチャンネル信号を抽出する。
【００２１】
その後、ＤＭＢ受信装置１００がチャンネル復号器（Ｃｈａｎｎｅｌ  Ｄｅｃｏｄｅｒ）１３０によって抽出された放送チャンネル及びパイロットチャンネル信号に対する前進型誤信号訂正（ＦＥＣ：Ｆｏｒｗａｒｄ  Ｅｒｒｏｒ  Ｃｏｒｒｅｃｔｉｏｎ）を実行した後、映像復号器（Ｐｉｃｔｕｒｅ  Ｄｅｃｏｄｅｒ）１４０によって、前進型誤信号訂正された放送チャンネル信号に対する映像復号化を実行し、これを画面表示することで、ＤＭＢ放送がなされることになる。
【００２２】
具体的に、本発明による受信性能を改善したデジタルマルチメディア放送受信装置１００は、前記ＣＤＭ復調器１２０とチャンネル復号器１３０との間にタップ（Ｔａｐ）係数よってマルチメディア放送（ＤＭＢ）の各ＣＤＭチャンネル信号の歪みを補償する等化（Ｅｑｕａｌｉｚｉｎｇ）部１５０と、チャンネルを推定して前記等化部１５０のタップ係数をアップデートするチャンネル推定部１６０とを含み、フェーディング現象による各ＣＤＭチャンネル信号の歪みを補償する。
【００２３】
前記等化部１５０とチャンネル推定部１６０は、通常経路探索器１２１、逆拡散器１２２、積分器１２３などとともに前記ＣＤＭ復調器１２０の内部構成要素の一つで具現されることが望ましく、前記等化部１５０の回路はこの出願以前に既に多様に公知されて施行される通常の技術であるので、等化部１５０の回路構成についての詳細な説明は省略する。
【００２４】
多重経路を通じて伝送されたＤＭＢ信号は前記ＣＤＭ復調器（Ｄｅｍｏｄｕｌａｔｏｒ）１２０の経路探索器１２１によって分離され、逆拡散器１２２によって分離された各信号にＰＮコードとウォルシュコードが掛けられて逆拡散され、積分器１２３によって積分されてチャンネル復号器１３０に伝送される。この時、前記チャンネル推定部１６０によってチャンネルを推定して前記等化部１５０のタップ係数をアップデートさせて、フェーディング現象による各ＣＤＭチャンネル信号の歪みを補償する。
【００２５】
具体的に、前記等化（Ｅｑｕａｌｉｚｉｎｇ）部１５０は、タップ（Ｔａｐ）係数よってマルチメディア放送（ＤＭＢ）の各ＣＤＭチャンネル信号の歪みを補償する。
【００２６】
前記チャンネル推定部１６０は、マルチメディア放送（ＤＭＢ）のパイロット（Ｐｉｌｏｔ）チャンネル信号内の各ＣＤＭチャンネル制御データ（ＣＤＭ  Ｃｈａｎｎｅｌ  Ｃｏｎｔｒｏｌ  Ｄａｔａ）に含まれたバージョン（Ｖｅｒｓｉｏｎ）情報を以前パイロットチャンネル信号内の各ＣＤＭチャンネル制御データに含まれたバージョン情報と比較して、バージョンが同じなＣＤＭチャンネルの場合、パイロットシンボル（ＰＳ：Ｐｉｌｏｔ  Ｓｙｍｂｏｌ）がない区間ではＣＤＭチャンネル制御データ（ＣＤＭ  Ｃｈａｎｎｅｌ  Ｃｏｎｔｒｏｌ  Ｄａｔａ）をチャンネル推定用シーケンスとして使用してチャンネルを推定し、チャンネル推定結果によって前記等化部のタップ係数をアップデートさせる。
【００２７】
図１に示すように、デジタルマルチメディア放送（ＤＭＢ）のパイロットチャンネル信号は、同期信号である多数のパイロットシンボル（Ｐｉｌｏｔ  Ｓｙｍｂｏｌ）ＰＳと、フレーム同期信号である唯一単語（Ｕｎｉｑｕｅ  Ｗｏｒｄ）Ｄ１と、スーパーフレーム同期信号であるフレームカウンター（Ｆｒａｍｅ  Ｃｏｕｎｔｅｒ）Ｄ２と、ＣＤＭチャンネル制御データＤ３〜Ｄ２２、Ｄ２７〜Ｄ４６と、前進型誤信号訂正（ＦＥＣ：Ｆｏｒｗａｒｄ  Ｅｒｒｏｒ  Ｃｏｒｒｅｃｔｉｏｎ）符号Ｄ２３〜Ｄ２６、Ｄ４７〜Ｄ５０と、拡張情報（Ｄ５１）とからなるフレーム構造を持ち、前記ＣＤＭチャンネル制御データＤ３〜Ｄ２２、Ｄ２７〜Ｄ４６は図４に示すようなデータ構造を持つ。
【００２８】
図４はＣＤＭチャンネル制御データ（ＣＤＭ  Ｃｈａｎｎｅｌ  Ｃｏｎｔｒｏｌ  Ｄａｔａ）の構造を示す図である。
【００２９】
同図に示すように、７バイト（Ｂｙｔｅ）のＣＤＭチャンネル制御データＤ３〜Ｄ２２、Ｄ２７〜Ｄ４６は４ビットのインターリーブモードフィールド、４ビットのコンボリュションモードフィールド、１６ビットのＴＳ＿ＩＤフィールド、３ビットのリザーブド（Ｒｅｓｅｒｖｅｄ）フィールド、１３ビットのＰＩＤ最小値フィールド、３ビットのバージョン情報フィールド、及び１３ビットのＰＩＤ最大値フィールドからなる。
【００３０】
ところが、以前パイロットチャンネル信号のＣＤＭチャンネル制御データ（ＣＤＭ  Ｃｈａｎｎｅｌ  Ｃｏｎｔｒｏｌ  Ｄａｔａ）のバージョン情報と現在パイロットチャンネル信号のＣＤＭチャンネル制御データ（ＣＤＭ  Ｃｈａｎｎｅｌ  Ｃｏｎｔｒｏｌ  Ｄａｔａ）のバージョン情報が同一であるというのは、現在のＣＤＭチャンネル制御データが以前のＣＤＭチャンネル制御データと同一であるという意味であるので、本発明による受信性能を改善したデジタルマルチメディア放送受信装置１００は、バージョン情報の同じな以前のＣＤＭチャンネル制御データをチャンネル推定用リファレンス（Ｒｅｆｅｒｅｎｃｅ）信号として使用し、現在のＣＤＭチャンネル制御データをチャンネル推定用シーケンス信号として使用してチャンネルを推定する。
【００３１】
すなわち、本発明による受信性能を改善したデジタルマルチメディア放送受信装置１００は、前記チャンネル推定部１６０によってマルチメディア放送（ＤＭＢ）のパイロット（Ｐｉｌｏｔ）チャンネル信号内の各ＣＤＭチャンネル制御データ（ＣＤＭ  Ｃｈａｎｎｅｌ  Ｃｏｎｔｒｏｌ  Ｄａｔａ）に含まれたバージョン（Ｖｅｒｓｉｏｎ）情報を以前パイロットチャンネル信号内の各ＣＤＭチャンネル制御データに含まれたバージョン情報と比較して、バージョンが同じなＣＤＭチャンネルの場合、パイロットシンボル（ＰＳ：Ｐｉｌｏｔ  Ｓｙｍｂｏｌ）がない区間ではＣＤＭチャンネル制御データ（ＣＤＭ  Ｃｈａｎｎｅｌ  Ｃｏｎｔｒｏｌ  Ｄａｔａ）をチャンネル推定用シーケンスとして使用してチャンネルを推定し、チャンネル推定結果によって前記等化部のタップ係数をアップデートさせる。すると、前記等化（Ｅｑｕａｌｉｚｉｎｇ）部１５０が、アップデートされるタップ（Ｔａｐ）係数よって、マルチメディア放送（ＤＭＢ）の各ＣＤＭチャンネル信号の歪みを補償する。
【００３２】
したがって、本発明はパイロットシンボル（Ｐｉｌｏｔ  Ｓｙｍｂｏｌ）がない区間でもＣＤＭチャンネル制御データ（ＣＤＭ  Ｃｈａｎｎｅｌ  Ｃｏｎｔｒｏｌ  Ｄａｔａ）をチャンネル推定用シーケンスとして使用してチャンネル推定シーケンスを増やすことで、より正確なチャンネルを推定（Ｃｈａｎｎｅｌ  Ｅｓｔｉｍａｔｉｏｎ）することができる。よって、フェーディングチャンネルによるデータの位相（Ｐｈａｓｅ）と振幅（Ａｍｐｌｉｔｕｄｅ）の歪みを連続的に補償することができるので、データのエラーを減らすことができる。
【００３３】
この時、前記チャンネル推定部１６０が、パイロットシンボル（ＰＳ：Ｐｉｌｏｔ  Ｓｙｍｂｏｌ）がある区間では、パイロットシンボル（ＰＳ：Ｐｉｌｏｔ  Ｓｙｍｂｏｌ）をチャンネル推定用シーケンスとして使用してチャンネルを推定することが望ましい。
【００３４】
一方、本発明のほかの様態によれば、前記チャンネル推定部１６０が、マルチメディア放送（ＤＭＢ）のパイロット（Ｐｉｌｏｔ）チャンネル信号内の各ＣＤＭチャンネル制御データ（ＣＤＭ  Ｃｈａｎｎｅｌ  Ｃｏｎｔｒｏｌ  Ｄａｔａ）に含まれたバージョン（Ｖｅｒｓｉｏｎ）情報を以前パイロットチャンネル信号内の各ＣＤＭチャンネル制御データに含まれたバージョン情報と比較して、バージョンが違いＣＤＭチャンネルの場合、パイロットシンボル（ＰＳ：Ｐｉｌｏｔ  Ｓｙｍｂｏｌ）をチャンネル推定用シーケンスとして使用してチャンネルを推定することが望ましい。
【００３５】
すなわち、本発明による受信性能を改善したデジタルマルチメディア放送受信装置１００は、パイロットシンボル（ＰＳ：Ｐｉｌｏｔ  Ｓｙｍｂｏｌ）がある区間ではパイロットシンボル（ＰＳ：Ｐｉｌｏｔ  Ｓｙｍｂｏｌ）をチャンネル推定用シーケンスとして使用し、パイロットシンボルがない区間であるＣＤＭチャンネル制御データ（ＣＤＭ  Ｃｈａｎｎｅｌ  Ｃｏｎｔｒｏｌ  Ｄａｔａ）区間の場合は、ＣＤＭチャンネル制御データ（ＣＤＭ  Ｃｈａｎｎｅｌ  Ｃｏｎｔｒｏｌ  Ｄａｔａ）に含まれたバージョン（Ｖｅｒｓｉｏｎ）情報と以前ＣＤＭチャンネル制御データ（ＣＤＭ  Ｃｈａｎｎｅｌ  Ｃｏｎｔｒｏｌ  Ｄａｔａ）に含まれたバージョン（Ｖｅｒｓｉｏｎ）情報を比較して、同一である場合には、ＣＤＭチャンネル制御データ（ＣＤＭ  Ｃｈａｎｎｅｌ  Ｃｏｎｔｒｏｌ  Ｄａｔａ）をチャンネル推定用シーケンスとして使用して、既存にチャンネル推定リファレンス信号がなかった区間でチャンネルを推定することができるチャンネル推定シーケンスを持つようにして、正確なチャンネル推定（Ｃｈａｎｎｅｌ  Ｅｓｔｉｍａｔｉｏｎ）を可能にする。したがって、パイロットシンボルがあるかある区間及びない区間の両場合、チャンネル推定の基準になるリファレンスシーケンスを持って、フェーディングチャンネルによる歪まれたデータの位相（Ｐｈａｓｅ）と振幅（Ａｍｐｌｉｔｕｄｅ）の歪みを連続的に補償して受信データエラーを減らすことができる。
【００３６】
一方、本発明のさらに他の様態によれば、前記チャンネル推定部１６０が、受信されたパイロットチャンネル信号のＣＲＣ（Ｃｙｃｌｉｃ  Ｒｅｄｕｎｄａｎｃｙ  Ｃｈｅｃｋｉｎｇ）エラーをチェックして、異常がない場合、マルチメディア放送（ＤＭＢ）のパイロット（Ｐｉｌｏｔ）チャンネル信号内の各ＣＤＭチャンネル制御データ（ＣＤＭ  Ｃｈａｎｎｅｌ  Ｃｏｎｔｒｏｌ  Ｄａｔａ）に含まれたバージョン（Ｖｅｒｓｉｏｎ）情報を以前パイロットチャンネル信号内の各ＣＤＭチャンネル制御データに含まれたバージョン情報と比較することが望ましい。
【００３７】
すなわち、この実施例は、受信されたパイロットチャンネル信号に対するＣＲＣ（Ｃｙｃｌｉｃ  Ｒｅｄｕｎｄａｎｃｙ  Ｃｈｅｃｋｉｎｇ）エラーをチェックして、正しく伝送されたデジタルマルチメディア放送（ＤＭＢ）信号に対してだけチャンネルを推定し、エラーが発生した信号に対しては再伝送させて受けて処理するようにした実施例である。
【００３８】
前記のような構成を持つ本発明による受信性能を改善したデジタルマルチメディア放送受信装置のチャンネル推定動作を説明する。
【００３９】
図５は本発明による受信性能を改善したデジタルマルチメディア放送受信装置のチャンネル推定過程を示す流れ図である。
【００４０】
まず、パイロットチャンネル信号が受信されれば、本発明による受信性能を改善したデジタルマルチメディア放送受信装置がエラー検査段階（Ｓ１１０）で受信されたパイロットチャンネル信号のＣＲＣ（Ｃｙｃｌｉｃ  Ｒｅｄｕｎｄａｎｃｙ  Ｃｈｅｃｋｉｎｇ）エラーをチェックする。
【００４１】
エラーチェックの結果、異常がある場合にはパイロットチャンネル信号を再び受け、異常がない場合には受信性能を改善したデジタルマルチメディア放送受信装置が前記バージョン情報読出し段階（Ｓ１２０）でマルチメディア放送（ＤＭＢ）のパイロット（Ｐｉｌｏｔ）チャンネル信号内の各ＣＤＭチャンネル制御データ（ＣＤＭ  Ｃｈａｎｎｅｌ  Ｃｏｎｔｒｏｌ  Ｄａｔａ）に含まれたバージョン（Ｖｅｒｓｉｏｎ）情報を読み出す。
【００４２】
その後、バージョン情報比較段階（Ｓ１３０）で、本発明による受信性能を改善したデジタルマルチメディア放送受信装置が前記バージョン情報読出し段階（Ｓ１２０）によって読み出された各ＣＤＭチャンネル制御データ（ＣＤＭ  Ｃｈａｎｎｅｌ  Ｃｏｎｔｒｏｌ  Ｄａｔａ）に含まれたバージョン（Ｖｅｒｓｉｏｎ）情報を以前パイロットチャンネル信号内の各ＣＤＭチャンネル制御データに含まれたバージョン情報と比較する。
【００４３】
前記バージョン情報比較段階（Ｓ１３０）での比較結果、バージョンが違うＣＤＭチャンネルの場合、本発明による受信性能を改善したデジタルマルチメディア放送受信装置がチャンネル推定段階（Ｓ１４０）でパイロットシンボル（ＰＳ：Ｐｉｌｏｔ  Ｓｙｍｂｏｌ）をチャンネル推定用シーケンスとして使用してチャンネルを推定する。
【００４４】
前記バージョン情報比較段階（Ｓ１３０）での比較結果、バージョンが同じなＣＤＭチャンネルの場合、本発明による受信性能を改善したデジタルマルチメディア放送受信装置がチャンネル推定段階（Ｓ１４０）でパイロットシンボル（ＰＳ：Ｐｉｌｏｔ  Ｓｙｍｂｏｌ）区間であるか否かによってチャンネルを推定する。
【００４５】
すなわち、前記バージョン情報比較段階（Ｓ１３０）での比較結果、バージョンが同じなＣＤＭチャンネルであり、パイロットシンボル（ＰＳ：Ｐｉｌｏｔ  Ｓｙｍｂｏｌ）がない区間の場合、本発明による受信性能を改善したデジタルマルチメディア放送受信装置がチャンネル推定段階（Ｓ１４０）でＣＤＭチャンネル制御データ（ＣＤＭ  Ｃｈａｎｎｅｌ  Ｃｏｎｔｒｏｌ  Ｄａｔａ）をチャンネル推定用シーケンスとして使用してチャンネルを推定し、パイロットシンボル（ＰＳ：Ｐｉｌｏｔ  Ｓｙｍｂｏｌ）がある区間の場合、パイロットシンボル（ＰＳ：Ｐｉｌｏｔ  Ｓｙｍｂｏｌ）をチャンネル推定用シーケンスとして使用してチャンネルを推定する。
【００４６】
その後、タップ係数アップデート段階（Ｓ１５０）で、本発明による受信性能を改善したデジタルマルチメディア放送受信装置が前記チャンネル推定段階（Ｓ１４０）でのチャンネル推定結果によって等化部のタップ係数をアップデートさせる。
【００４７】
すると、本発明による受信性能を改善したデジタルマルチメディア放送受信装置の既存より多くの連続したチャンネル推定用シーケンスで等化部のタップ係数をアップデートして正確なチャンネル推定（Ｃｈａｎｎｅｌ  Ｅｓｔｉｍａｔｉｏｎ）を行うことができる。よって、フェーディングチャンネルによるデータの位相（Ｐｈａｓｅ）と振幅（Ａｍｐｌｉｔｕｄｅ）の歪みを補償することで、チャンネルによる受信データエラーを減らすことができる。
【００４８】
したがって、前記のようにすることにより、前記で提示した本発明の目的を達成することができることになる。
【００４９】
以上、本発明を添付図面に示す好適な実施例に基づいて説明したが、このような記載から、特許請求範囲によって決められる範囲内で、本発明の範疇を逸脱しないで多様に変形することができるであろう。
【産業上の利用可能性】
【００５０】
本発明は、フェーディングチャンネルによるデータの位相（Ｐｈａｓｅ）と振幅（Ａｍｐｌｉｔｕｄｅ）の歪みをより多くのチャンネル推定用シーケンスで連続的に補償して、より正確なチャンネル推定（Ｃｈａｎｎｅｌ  Ｅｓｔｉｍａｔｉｏｎ）を行って、受信性能を改善したデジタルマルチメディア放送受信装置及びそのチャンネル推定方法に適用可能である。
【図面の簡単な説明】
【００５１】
【図１】デジタルマルチメディア放送（ＤＭＢ）のパイロットチャンネル信号のフレーム構造を示す図である。
【図２】従来のデジタルマルチメディア放送受信装置のチャンネル推定概要図である。
【図３】本発明による受信性能を改善したデジタルマルチメディア放送受信装置の構成を示すブロック図である。
【図４】ＣＤＭチャンネル制御データ（ＣＤＭ  Ｃｈａｎｎｅｌ  Ｃｏｎｔｒｏｌ  Ｄａｔａ）の構造を示す図である。
【図５】本発明による受信性能を改善したデジタルマルチメディア放送受信装置のチャンネル推定過程を示す流れ図である。
【符号の説明】
【００５２】
１００    デジタルマルチメディア放送受信装置
１１０    チューナー
１２０    ＣＤＭ復調器
１２１    経路探索器
１２２    逆拡散器
１２３    積分器
１３０    チャンネル復号器
１４０    映像復号器
１５０    等化部
１６０    チャンネル推定部
【図１】
2007166585.tif 000003
【図２】
2007166585.tif 000004
【図３】
2007166585.tif 000005
【図４】
2007166585.tif 000006
【図５】
2007166585.tif 000007